(57)【特許請求の範囲】
【請求項１】
回収容器の開口部に着脱自在に取付けられる蓋の上面にクリーナ接続用台座と、吸引ホース接続用のホース接続孔を有するホース接続用台座とを固定し、クリーナ接続用台座に前記回収容器の内部と連通するニップル接続孔を設け、そのニップル接続孔に対してハンドタイプのバキュームクリーナに設けられた吸引ノズル接続用ニップルを着脱自在とし、
前記バキュームクリーナが、一端がエア入口、他端がエア出口とされ、そのエア入口部内に設けられたエア噴射ノズルからエア出口に向けて噴射される圧縮エアのエジェクタ作用によりエア入口内に吸引力が付与されるエア加速用ディフューザ管の前記エア入口側の端部外周にハンドルが接続され、そのハンドルにレバー操作形開閉弁によって開閉され、その開放によって前記エア噴射ノズルに圧縮エアを供給するエア供給路が設けられ、前記ディフューザ管のエア入口には前記吸引ノズル接続用ニップルが接続され、ディフューザ管のエア出口に通気性を有するダストバッグが接続された構成からなる吸引回収装置。
【請求項２】
前記クリーナ接続用台座と前記ホース接続用台座とを共通とした請求項１に記載の吸引回収装置。
【請求項３】
前記吸引ノズル接続用ニップルを着脱自在とする手段が、抜き差しによる請求項１又は２に記載の吸引回収装置。
【発明の詳細な説明】
【技術分野】
【０００１】
この発明は、工場の床において散乱する塵芥や廃液等の回収対象物を吸引により回収する吸引回収装置に関する。
【背景技術】
【０００２】
塵芥を吸引回収する吸引回収装置として、バキュームクリーナが従来から知られている。図１０および図１１は、そのバキュームクリーナＡを示し、ディフューザ管１と、そのディフューザ管１の一端部に接続されたハンドル２とを有している。
【０００３】
ディフューザ管１は、一端部がエア入口３とされ、そのエア入口３の下流側に小径のスロート部４、下流端を大径とするディフューザ部５、エア出口６が順に設けられ、上記エア入口３の外周に接続筒７が設けられている。
【０００４】
また、ディフューザ管１のエア入口３内にはニップル８の先端部がねじ係合され、そのニップル８の後端部に吸引ノズル９が着脱自在に接続されている。ニップル８の先端部には、環状溝１０と、その環状溝１０に供給される圧縮エアをスロート部４に向けて噴射する複数のエア噴射ノズル１１が形成されている。一方、エア出口６には通気性を有する柔軟なダストバッグ１２が着脱自在に取付けられている。
【０００５】
ハンドル２は、グリップ部１３の先端部外周に突軸部１４が形成されたＬ字形をなし、上記突軸部１４がディフューザ管１の接続筒７内に挿入され、その突軸部１４の外周に形成された環状溝１４ａ内に上記接続筒７を半径方向に貫通する止めねじ１５の先端部が挿入されて、突軸部１４が回転自在の支持とされ、かつ、抜止めされている。また、止めねじ１５を締付けることによって突軸部１４が任意の回転位置で固定されるようになっている。
【０００６】
ハンドル２には、グリップ部１３の後端面および突軸部１４の先端面で開口するエア供給路１６が形成され、そのエア供給路１６の途中に常閉型のレバー操作形開閉弁１７が組込まれている。この開閉弁１７は、揺動可能なレバー１７ａを握ることにより開弁してエア供給路１６を開放するようになっている。
【０００７】
上記の構成からなるバキュームクリーナＡにおいて、エアコンプレッサ等のエア供給源からエア供給ホースHを介してエア供給路１６に圧縮エアを供給する状態で、開閉弁１７のレバー１７ａを握ると、開閉弁１７が開放し、エア供給路１６に供給された圧縮エアが環状溝１０に送り込まれてエア噴射ノズル１１から噴射される。
【０００８】
このとき、圧縮エアはスロート部４により絞り込まれて圧力が高められ、そのスロート部４に続くディフューザ部５で減圧されて加速され、エア出口６からダストバッグ１２内に流出し、ニップル８内およびそのニップル８に接続された吸引ノズル９内はエジェクタ作用により吸引力が負荷される。
【０００９】
このため、吸引ノズル９によって床に散乱する塵芥等の回収対象物を吸引することができる。その吸引された回収対象物はディフューザ管１からダストバッグ１２内に輸送されて回収される。
【００１０】
上記バキュームクリーナＡは、ハンドル２のグリップ部１３を握る操作により回収対象物を吸引する持ち運びが可能なハンドタイプのものであるため、非常に便利である。
【００１１】
ここで、圧縮エアのエジェクタ作用によってペール缶等の回収容器内に回収対象物を回収するようにした吸引回収装置も従来から知られている（特許文献１参照）
【先行技術文献】
【特許文献】
【００１２】
【特許文献１】実開昭６１−７７９３２号公報
【発明の開示】
【発明が解決しようとする課題】
【００１３】
ところで、上記従来のバキュームクリーナにおいては、取り扱いが容易であるものの、ダストバッグ１２によって回収対象物を回収するため、回収容量が少量であり、多量の回収対象物を回収する際には、ダストバッグ１２の底を閉じるクリップ１２ａの取り外しにより底を開放して、回収対象物を廃棄する廃棄作業を頻繁に行なわなければならないという不都合がある。また、ダストバッグ１２は布等の通気性を有する材料から形成されているため、液体を回収することはできない。
【００１４】
一方、特許文献１に記載された吸引回収装置においては、ペール缶等の回収容器に回収対象物を回収するため、多量の回収対象物を吸引回収することができるものの、かなり大きく、かつ、重量物であるため、ハンディタイプのバキュームクリーナに比べ、少量の回収物や高い位置、狭い場所での使用には適さない。
【００１５】
この発明の課題は、ダストバッグ内に回収対象物を回収するようにしたバキュームクリーナを用いてペール缶等の回収容器にも塵芥等の回収対象物を回収できるようにした吸引回収装置を提供することである。
【課題を解決するための手段】
【００１６】
上記の課題を解決するため、この発明においては、回収容器の開口部に着脱自在に取付けられる蓋の上面にクリーナ接続用台座と、吸引ホース接続用のホース接続孔を有するホース接続用台座とを固定し、クリーナ接続用台座に前記回収容器の内部と連通するニップル接続孔を設け、そのニップル接続孔に対してハンドタイプのバキュームクリーナに設けられた吸引ノズル接続用ニップルを着脱自在とした構成を採用し、前記バキュームクリーナとして以下の構成からなるものを採用したのである。
【００１７】
一端がエア入口、他端がエア出口とされ、そのエア入口部内に設けられたエア噴射ノズルからエア出口に向けて噴射される圧縮エアのエジェクタ作用によりエア入口内に吸引力が付与されるエア加速用ディフューザ管の前記エア入口側の端部外周にハンドルが接続され、そのハンドルにレバー操作形開閉弁によって開閉され、その開放によって前記エア噴射ノズルに圧縮エアを供給するエア供給路が設けられ、前記ディフューザ管のエア入口には前記吸引ノズル接続用ニップルが接続され、ディフューザ管のエア出口に通気性を有するダストバッグが接続されたバキュームクリーナ。
【００１８】
上記の構成からなる吸引回収装置において、エアコンプレッサからバキュームクリーナのエア供給路に圧縮エアを供給する状態で開閉弁を開放すると、その圧縮エアがエア噴射ノズルからディフューザ管内に噴射され、加速されてエア出口から流出し、その圧縮エアのエジェクタ作用によってニップル内に吸引力が負荷される。
【００１９】
このため、上記ニップルに吸引ノズルを接続することにより、その吸引ノズルにより塵芥等の回収対象物を吸引することができ、その回収対象物はディフューザ管からダストバッグ内に輸送されるため、ダストバッグによって回収することができる。
【００２０】
また、回収容器に蓋を装着した状態で、クリーナ接続用台座に形成されたニップル接続孔にニップルを接続することにより、回収容器内を減圧することができ、ホース接続用台座に形成されたホース接続孔に吸引力を付与することができる。したがって、そのホース接続孔に吸引ホースを接続することにより、吸引ホースによって塵芥等の回収対象物を吸引することができ、その吸引された回収対象物を回収容器内に回収することができる。
【００２１】
この場合、吸引回収された回収対象物に微細な粉塵が混入していると、その粉塵は回収容器内に作用する吸引エアの流れに乗ってニップル内からディフューザ管内に流動し、エア出口から流出する可能性がある。このとき、エア出口にはダストバッグが接続されているため、粉塵はダストバッグにより捕捉されて外部に流出するのが防止され、外部環境を悪化させるようなことはない。
【００２２】
ここで、クリーナ接続用台座に形成されたニップル接続孔の下部に大径孔部を設け、その大径孔部内にフィルタを組込み、あるいは、クリーナ接続用台座のニップル接続孔に対して抜き差し自在の接続筒を一端に有し、他端に前記ニップルが抜き差し可能なニップル接続孔が形成され、内部にフィルタが収容されたフィルタケースをクリーナ接続用台座とバキュームクリーナのニップル間に組込んでおくと、上記フィルタによって粉塵を捕捉することができるため、粉塵の外部への漏洩をより確実に防止することができる。
【００２３】
上記のような回収容器内に回収対象物を回収する使用においては、回収容器内が減圧されるため、吸引ノズル接続用ニップルには回収容器内に向けての引込み力が負荷される。このため、吸引ノズル接続用ニップルを着脱自在とする手段として、ねじ結合とせず、抜き差しによる簡単な接続方法を採用しても、安定した接続状態を得ることができる。
【００２４】
この発明に係る吸引回収装置のように、クリーナ接続用台座とホース接続用台座とを共通とすると、それぞれの台座を蓋に個々に取付ける場合に比較して、取付けの容易化を図ることができる。
【００２５】
ここで、レバー操作形開閉弁の開閉操作用のレバーを開放位置で保持する保持手段を設けておくと、開放位置に変位させたレバーを手で保持する必要がなくなり、手の疲労軽減に効果を挙げることができる。
【００２６】
上記保持手段として、ハンドルの外周対向位置に両端部が回動自在に連結されたＵ字形の係合フックをレバーの先端部外周に対して掛け外しする方法や、周方向で対向する一対の操作片を両端部に有し、その一対の操作片を摘むことにより拡径する径方向に弾性変形可能な係合リングを、ハンドルおよびレバーの外周に跨って取付ける方法を採用することができる。
【発明の効果】
【００２８】
上記のように、この発明においては、ダストバッグ内に回収対象物を吸引回収する使用と、ペール缶等の回収容器に塵芥等の回収対象物を吸引回収する使用の２通りの使用を可能とすることができ、回収対象物の種類や量に応じて使用状態を変更することができるため、極めて便利である。
【図面の簡単な説明】
【００２９】
【図１】この発明に係る吸引回収装置の実施の形態を示す正面図
【図２】図１のバキュームクリーナと蓋の接続部を拡大して示す断面図
【図３】図１の横断平面図
【図４】図３のIV−IV線に沿った断面図
【図５】図３のクリーナ接続用台座部の縦断正面図
【図６】クリーナ接続用台座の他の例を示す縦断正面図
【図７】クリーナ接続用台座とホース接続用台座を共通化した状態の平面図
【図８】レバー保持手段の他の例を示す正面図
【図９】この発明に係る吸引回収装置の他の実施の形態を示す正面図
【図１０】従来のバキュームクリーナを示す一部切欠正面図
【図１１】図１０のバキュームクリーナの一部を拡大して示す断面図
【発明を実施するための形態】
【００３０】
以下、この発明の実施の形態を図面に基づいて説明する。図１および図２に示すように、この発明に係る吸引回収装置は、バキュームクリーナＡと、回収容器Ｂとを備える。バキュームクリーナＡは、図１０および図１１に示すバキュームクリーナＡと同一であるため、同一部品には同一の符号を付して説明を省略する。
【００３１】
図２に示すように、バキュームクリーナＡにおけるハンドル２のグリップ部１３にはＵ字形の係合フック１８の両端部が回動自在に連結され、その係合フック１８は開閉操作用のレバー１７ａの先端部外周に対して係脱自在とされ、その係合によって、レバー１７ａは開放位置に変位させた状態に保持される。
【００３２】
なお、レバー１７ａを開放位置で保持する保持手段はこれに限定されるものではない。例えば、図８に示すように、周方向で対向する一対の操作片２０を両端部に有し、その一対の操作片２０を摘むことにより拡径する径方向に弾性変形可能な係合リング１９をハンドル２に嵌め合わせておき、その係合リング１９を拡径して、グリップ部１３とレバー１７ａの外周に跨って係合させるようにしてもよい。
【００３３】
図１乃至図４に示すように、回収容器Ｂとして、ここでは、容積が２０リットル程度の大きさとされたペール缶が採用されている。このペール缶Ｂは、缶体３０と、その缶体３０の上部開口を閉塞する蓋３１とからなっている。
【００３４】
ここで、ペール缶Ｂには、蓋３１の外周と缶体３０の外周に巻き付けられる締付けバンドの締め付けによって蓋３１を閉鎖状態に保持する形式のものと、缶体３０の外周に取付けられた複数の掛け金を蓋３１の上面外周部に係合させて蓋３１を閉鎖状態に保持する形式のものが存在するが、いずれの形式のものを採用してもよい。
【００３５】
蓋３１の上面にはクリーナ接続用台座３２と、その周囲にホース接続用台座３３が設けられており、それぞれの台座３２、３３は、蓋３１の下面に衝合された裏板３４から各台座３２、３３にねじ込まれる止めねじ３５の締付けによって蓋３１に固定されている。
【００３６】
クリーナ接続用台座３２には、缶体３０の内部と連通するニップル接続孔３６と、そのニップル接続孔３６の下部に容量の大きな大径孔部４５とが形成されている。ニップル接続孔３６は上部が大径の段付き孔とされて、その上部の大径孔部にバキュームクリーナＡのニップル８の先端部が抜き差し自在とされている。また、内周に形成された段部３７にはパッキン３８が支持され、上記ニップル８を差し込む状態でパッキン３８がニップル８の先端に密着して気密を保持するようになっている。
【００３７】
なお、上記パッキン３８に代えて、ニップル接続孔３６の内周にリング溝を形成し、そのリング溝にＯリングを取付けて、ニップル接続孔３６とニップル８の接続部間の気密を保持するようにしてもよい。
【００３８】
一方、ホース接続用台座３３には、斜め下方に向く傾斜状のホース接続孔３９が形成され、そのホース接続孔３９に吸引ホース４０が接続自在とされている。
【００３９】
実施の形態で示す吸引回収装置は上記の構造からなり、少量の塵芥等の回収対象物の回収に際しては、バキュームクリーナＡを、クリーナ接続用台座３２から抜き出し、図示省略したエアコンプレッサ等の圧縮エア供給源とバキュームクリーナＡのハンドル２に設けられたエア供給路１６のエア入口とをエア供給ホースＨで接続する。
【００４０】
圧縮エア供給源に対する接続状態において、レバー１７ａを握り、開閉弁１７を開放すると、圧縮エアはエア噴射ノズル１１からディフューザ管１内に噴射され、加速されてエア出口６から流出し、その圧縮エアのエジェクタ作用によってニップル８内に吸引力が負荷される。
【００４１】
このため、ニップル８に図１０に示す吸引ノズル９を接続することにより、その吸引ノズル９によって塵芥等の回収対象物を吸引することができる。その吸引された回収対象物はディフューザ管１からダストバッグ１２内に輸送され、ダストバッグ１２によって回収される。
【００４２】
上記のように、開閉弁１７を開放すると、ニップル８内に吸引力が付与されるため、図１および図２に示すように、回収容器Ｂの缶体３０に蓋３１を装着した状態で、クリーナ接続用台座３２に形成されたニップル接続孔３６にニップル８の先端部を挿入することによって、回収容器Ｂ内を減圧することができる。
【００４３】
このとき、ニップル８には回収容器Ｂ内に向けて引込み力が負荷されるため、ニップル８は、その先端がパッキン３８に密着することになってシール性が確保されることになり、回収容器Ｂ内は効果的に減圧されることになる。
【００４４】
したがって、ホース接続用台座３３に形成されたホース接続孔３９に吸引ホース４０を接続しておくと、その吸引ホース４０内に吸引力が付与されることになり、その吸引ホース４０によって塵芥等の回収対象物を吸引することができる。
【００４５】
吸引された回収対象物は、回収容器Ｂの上部から内部に旋回流入し、旋回しつつ下降して底部に堆積し、回収対象物を回収容器Ｂによって回収することができる。このとき、回収容器Ｂ内の中心部には上向きの気流が発生しており、吸引回収された回収対象物に微細な粉塵が混入していると、その粉塵は上向きの気流の流れに乗ってニップル８内からディフューザ管１内に流動し、エア出口６から流出する可能性がある。
【００４６】
このとき、エア出口６にはダストバッグ１２が接続されているため、粉塵はダストバッグ１２により捕捉されて外部に流出するのが防止され、外部環境を悪化させるようなことはない。
【００４７】
上記のような回収容器Ｂ内に回収対象物を回収する使用においては、図２に示すように、係合フック１８をレバー１７ａの端部に係合し、あるいは、図８に示すように、係合リング１９をグリップ部１３とレバー１７ａの外周に跨るセット状態として、レバー１７ａを開放状態に保持しておくようにする。
【００４８】
上記のように、実施の形態における吸引回収装置においては、ダストバッグ１２内に回収対象物を回収する使用と、ペール缶等の回収容器Ｂに塵芥等の回収対象物を回収する使用の２通りの使用を可能とすることができ、回収対象物の種類や量に応じて使用状態を変更することができるため、極めて便利である。
【００４９】
なお、ペール缶等の回収容器Ｂを用いる回収対象物の吸引回収に際して、その回収対象物は工場の廃液等の液体であってもよい。
【００５０】
図３においては、回収容器Ｂの蓋３１にクリーナ接続用台座３２とホース接続用台座３３を別々に取付けるようにしたが、図７に示すように、クリーナ接続用台座３２とホース接続用台座３３を共通としてもよい。台座３２、３３を共通とすることにより、それぞれの台座を蓋に個々に取付ける場合に比較して、取付けの容易化を図ることができる。
【００５１】
ここで、図３および図５に示すように、クリーナ接続用台座３２にＵ字形の手提げ杆４１を起伏自在に連結し、あるいは、図６に示すように、クリーナ接続用台座３２の外周に溝からなる指先係合凹部４２を形成しておくと、蓋３１の取付け、取り外しを容易に行なうことができる。
【００５２】
図９は、この発明に係る吸引回収装置の他の実施の形態を示す。この実施の形態においては、クリーナ接続用台座３２とバキュームクリーナＡのニップル８間にフィルタケース５０を組込むようにしている点で図１および図２に示す吸引回収装置と相違している。
【００５３】
ここで、フィルタケース５０は、クリーナ接続用台座３２のニップル接続孔３６に抜き差し可能な接続筒５１を一端に有し、他端にはバキュームクリーナＡのニップル８が抜き差し可能なニップル接続孔５２が形成され、内部にフィルタ５３が組込まれている。
【００５４】
上記のように、クリーナ接続用台座３２とバキュームクリーナＡのニップル８間にフィルタケース５０を組込むことにより、回収容器Ｂ内の上昇気流に乗って上昇する微細な粉塵をフィルタ５３で一次捕捉することができ、また、ダストバッグ１２で二次捕捉することができるため、塵埃の外部への漏洩をほぼ確実に防止することができる。
【００５５】
なお、図２に示すように、クリーナ接続用台座３２に形成された大径孔部４５内にフィルタ５３を組込んで、微細な粉塵を一次捕捉するようにしてもよい。
【符号の説明】
【００５６】
Ａ      バキュームクリーナ
Ｂ      回収容器
１      ディフューザ管
２      ハンドル
３      エア入口
６      エア出口
８      ニップル
１２    ダストバッグ
１６    エア供給路
１７    開閉弁
１７ａ  レバー
１８    係合フック
１９    係合リング
２０    操作片
３１    蓋
３２    クリーナ接続用台座
３３    ホース接続用台座
３６    ニップル接続孔
４１    手提げ杆
４２    指先係合凹部
４５    大径孔部
５０    フィルタケース
５１    接続筒
５２    ニップル接続孔
５３    フィルタ
【図１】
0005630760.tif 000002
【図２】
0005630760.tif 000003
【図３】
0005630760.tif 000004
【図４】
0005630760.tif 000005
【図５】
0005630760.tif 000006
【図６】
0005630760.tif 000007
【図７】
0005630760.tif 000008
【図８】
0005630760.tif 000009
【図９】
0005630760.tif 000010
【図１０】
0005630760.tif 000011
【図１１】
0005630760.tif 000012